(57)【特許請求の範囲】
【請求項１】
ファインダ視野内にフォーカスポイントを示す複数の測距点を持つ自動焦点調節手段と、
撮影準備、および撮像を指示するレリーズスイッチと、
撮像画像を再生可能な表示手段と、
撮像画像を一時的に格納するためのバッファメモリと、
前記バッファメモリに格納されている画像を消去するための消去スイッチとを有し、
前記レリーズスイッチの第１ストロークの操作に応じて撮影準備を行い、合焦位置および露出値データを保持したままの第２ストロークの操作に応じて光電変換された像信号をデジタルデータに変換して第１の画像データとして前記バッファメモリへ一時的に格納し、当該バッファメモリに格納された前記第１の画像データから測距点に対応した所定の大きさの画像を切り出し前記表示手段に表示した後に、
前記消去スイッチにより消去の指示がされた場合には、前記バッファメモリから前記第１の画像データを消去しメモリカードへの記録対象から外す一方、前記消去スイッチにより消去の指示がされなかった場合には、前記第１の画像データから変換された第２の画像データをメモリカードに記録して保存することを特徴とする撮像装置。
【発明の詳細な説明】
【０００１】
【発明の属する技術分野】
本発明は電子スチルカメラ等の撮像装置に係り、特に電子スチルカメラ本体の小型モニタにおいて撮影画像のピントを確認するようにした装置および方法に関するものである。
【０００２】
【従来の技術】
従来、撮像素子を用いて光学系から入射する被写体像を撮影し、その結果得られた画像信号を信号処理して画像情報に変換する。その画像情報をフラッシュメモリを内蔵したメモリカードやフロッピーディスクあるいはハードディスクからなる記録手段に記録するようにした電子スチルカメラが種々提案されている。このようなカメラの中には撮影した画像をその場で再生できるようにカメラ本体にモニタを内蔵しているものがあり、撮影画像を表示したり、１画面に複数の撮影画像を表示したりすることができる。
【０００３】
ところが、カメラ本体に内蔵されるモニタはほとんどの場合小型であり、カメラ本体に内蔵されるモニタでは撮影画像のピント確認を行うことができないという問題があった。そこで、特開平５−２４４４７１号公報で開示の「電子スチルカメラ装置」では、少ない画素数のモニタを用いてもピント調整を容易に行うために撮影後、撮影画像を小型モニタに表示する。そして表示された画像の一部分を撮影者が指定することで、その指定部分を小型モニタに拡大表示するものが提案されている。
【０００４】
【発明が解決しようとする課題】
しかしながら、上述の従来装置ではモニタにてピント調整を行う場合、撮影者がいちいち撮影画像を表示させ、さらに拡大したい場所を指定しなければならなかった。
【０００５】
そこで、本発明の目的は、撮影後すぐに撮影画像のピント確認を行うことができる撮像装置を提供することにある。
【０００６】
【課題を解決するための手段】
本発明の撮像装置は、ファインダ視野内にフォーカスポイントを示す複数の測距点を持つ自動焦点調節手段と、撮影準備、および撮像を指示するレリーズスイッチと、撮像画像を再生可能な表示手段と、撮像画像を一時的に格納するためのバッファメモリと、前記バッファメモリに格納されている画像を消去するための消去スイッチとを有し、前記レリーズスイッチの第１ストロークの操作に応じて撮影準備を行い、合焦位置および露出値データを保持したままの第２ストロークの操作に応じて光電変換された像信号をデジタルデータに変換して第１の画像データとして前記バッファメモリへ一時的に格納し、当該バッファメモリに格納された前記第１の画像データから測距点に対応した所定の大きさの画像を切り出し前記表示手段に表示した後に、前記消去スイッチにより消去の指示がされた場合には、前記バッファメモリから前記第１の画像データを消去しメモリカードへの記録対象から外す一方、前記消去スイッチにより消去の指示がされなかった場合には、前記第１の画像データから変換された第２の画像データをメモリカードに記録して保存することを特徴とする。
【００２０】
【発明の実施の形態】
以下、図面に基づき本発明による撮像装置の好適な実施の形態を説明する。
（第１の実施形態）
図１は、本実施形態における撮像装置としての電子スチルカメラの構成例を示すブロック図である。図において１は撮影レンズ、２は撮影レンズ１を介して被写体像を受光し、その被写体像画像を光電変換するためのたとえばＣＣＤイメージセンサ等でなる撮像素子、３は撮像素子２から出力される信号をデジタル信号に変換する信号処理回路、４は画像データを一時的に格納するバッファメモリであり、本発明の記憶手段に該当する。５はバッファメモリ４に格納されている画像データを所定の映像信号に変換するための画像処理回路であり、本発明の画像処理手段に該当する。
【００２１】
また、６は映像信号を記録媒体に記録するための記録制御回路、７は画像を記録するメモリカードであり、本発明の記録媒体に該当する。８は合焦位置に撮影レンズを駆動するための駆動回路、９は信号処理回路３、画像処理回路５、記録回路６等を制御するための制御回路である。
【００２２】
また、１０は画面内にある複数の測距点を用いて自動で焦点を検出するためのＡＦ回路であり、本発明の自動焦点調節手段に該当する。１１は撮影画像の露出を決定するためのＡＥ回路、１２はカメラのファインダ視野内を覗く撮影者の注視方向を検出する視線検出回路であり、本発明の視線検出手段に該当する。
【００２３】
また、１３は視線検出回路１２をＯＮ／ＯＦＦする視線スイッチであり、本発明の第３の操作部材に該当する。１４は測距点選択を自動選択とするか手動選択とするかの選択モード切替スイッチであり、本発明の第１の操作部材に該当する。１５は選択モード切替スイッチ１３で手動選択が選ばれたときに視野内の複数の測距点を撮影者が手動で選択するための測距点選択スイッチであり、本発明の第２の操作部材に該当する。
【００２４】
また、１６は撮影された画像を再生するための再生回路、１７は撮影画像の表示や各種設定項目を表示するためのＬＣＤモニタであり、本発明の表示手段に該当する。１９はレリーズスイッチであり、本発明の第１ストロークスイッチおよび第１ストロークスイッチに該当する。
【００２５】
図２は、上記の構成でなる電子スチルカメラの撮影に係わる動作を示すフローチャートである。つぎに、この電子スチルカメラの動作を説明する。
ステップＳ１００において、動作を開始する。
ステップＳ１０１において、図示しない電源スイッチで電源を投入することでカメラが起動する。
ステップＳ１０２において、カメラが起動すると、バッテリチェックやレンズの有無チェックなどの初期動作が行われる。
【００２６】
つぎに、ステップＳ１０３において、視線スイッチ１３、選択モード切替スイッチ１４、測距点選択スイッチ１５などの状態をチェックして測距点選択モードを設定する。この場合、図３に示すフローチャート▲１▼に沿って動作する。
ステップＳ１０４において、設定したモードを変更する場合はステップＳ１０３へ戻り、変更ない場合はステップＳ１０５へ進む。
ステップＳ１０５において、レリーズスイッチ１９の第１のストロークスイッチＳＷ１（以下、単にＳＷ１という）がオンすると、制御回路９によってＡＦ回路１０やＡＥ回路１１が動作して撮影準備が行われる。このときＡＦ回路１１では先に設定した測距点選択モードにしたがってＡＦ動作が行われる。
ステップＳ１０６において、撮影準備が完了するとステップＳ１０７へ進む。
【００２７】
ステップＳ１０７において、撮影準備完了後、ＳＷ１がオン状態に維持されている場合、合焦位置および露出値データを保持したまま、レリーズスイッチ１９の第２ストロークスイッチＳＷ２（以下、単にＳＷ２という）の投入待機状態となり、ステップＳ１０８へ進む。一方、ＳＷ１がオフ状態であるとステップＳ１０４へ進む。
【００２８】
ステップＳ１０８において、ＳＷ２がオンになったとき、ステップＳ１０９にて撮影動作が行われる。
ステップＳ１０９において、ＳＷ２がオンになると、制御回路９からの信号で図示しないシャッタ機構の開閉により被写体像が撮像素子２において露光され、この像が光電変換される。そして信号処理回路３でデジタルデータに変換された後バッファメモリ４へ一時的に格納される。
ステップＳ１１０において、撮影した画像のピントを確認する。この場合、図４に示すフローチャート▲２▼に沿って動作する。
ステップＳ１１１において、ピント確認後、バッファメモリ４に格納されているデータを画像処理回路５において所定の画像データに変換し、そして記録回路６を用いてメモリカード１７に記録する。
ステップＳ１１２において、動作を終了する。
【００２９】
ここで、視線スイッチ１３、選択モード切替スイッチ１４、測距点選択スイッチ１５などの状態をチェックして測距点選択モードを設定する動作を、図３のフローチャートを用いて説明する。
ステップＳ２００において、動作を開始する。
ステップＳ２０１において、視線スイッチ１３の状態を検出して、視線検出回路１２で視線検出を行うか行わないかを決定する。視線検出を行わないときはステップＳ２０２へ進み、測距点自動選択か手動選択の選択モードの設定を行う。
【００３０】
つぎに、ステップＳ２０２において、選択モード切替スイッチ１４の状態を検出して、測距点選択を自動で行うのか手動で行うのか決定する。手動選択モードが選択された場合にはステップＳ２０３へ進み、撮影者が測距点を選択する。
ステップＳ２０３において、測距点選択スイッチ１５により撮影者が手動で測距点を選択する。
ステップＳ２０２において、動作を終了する。
【００３１】
つぎに、撮影後選択された測距点付近の画像を拡大再生する動作を、図４のフローチャートを用いて説明する。
ステップＳ３００において、動作を開始する。
ステップＳ３０１において、制御回路９より選択された測距点信号を受けて、画像処理回路はバッファメモリ４に格納されている撮影画像から、選択された測距点付近の画像を所定の大きさで切り出す。
ステップＳ３０２において、切り出された画像は再生回路１６へ送られ、ＬＣＤモニタ１７に表示できる信号に変換される。
ステップＳ３０３において、選択された測距点付近の画像は、図５に示すようにＬＣＤモニタ１７の画面全体に表示される。
ステップＳ３０４において、動作を終了する。
【００３２】
以上の動作により、測距点選択モードが視線選択モードおよび自動選択モードおよび手動選択モードのどれであっても、撮影画像中の合焦した測距点付近の画像がＬＣＤモニタの画面全体に表示されるので、撮影後すぐに撮影画像のピント確認を行うことができる。
【００３３】
（第２の実施形態）
図６は、この実施形態における電子スチルカメラの構成例を示すブロック図である。特にこの例では電子スチルカメラに加えて、ピント確認時にピントがぼけている画像であればメモリカード７へ記録せずにバッファメモリ４に格納されている撮影画像を消去するための消去スイッチ１８を備える。
【００３４】
上記構成でなる電子スチルカメラにおいて撮影時の動作はピント確認時の動作（図４のフローチャート）を除いて、実質的に第１の実施形態の場合と同様である。つぎに、図７のフローチャートを用いて、第２の実施形態でピント確認時の動作を説明する。
【００３５】
ステップＳ４００において、動作を開始する。
ステップＳ４０１において、制御回路９より選択された測距点信号を受けて、画像処理回路はバッファメモリ４に格納されている撮影画像から、選択された測距点付近の画像を所定の大きさで切り出す。
ステップＳ４０２において、切り出された画像は再生回路１５へ送られ、ＬＣＤモニタ１７に表示できる信号に変換される。
ステップＳ４０３において、選択された測距点付近の画像が図５のようにＬＣＤモニタの画面全体に表示される。
【００３６】
このときステップＳ４０４において、撮影画像のピントがボケている画像であり、消去スイッチ１８が押された場合は、撮影画像をメモリカード７に記録しない。バッファメモリ４に格納されている撮影画像を消去するために、ステップＳ４０５へ進む。
ステップＳ４０５において、撮影画像を消去するためにバッファメモリ４をクリアする。この場合はステップＳ１１１もスキップされる。
ステップＳ４０６において、動作を終了する。
【００３７】
以上の動作により、測距点選択モードが視線選択モードおよび自動選択モードおよび手動選択モードのどれであっても、撮影画像中の合焦した測距点付近の画像が表示手段の画面全体に表示される。そしてピントのボケた写真は消去できるので、ピンボケの写真を記録媒体に記録する等の無駄をなくすことができる。
【００３８】
（第３の実施形態）
第３の実施形態における電子スチルカメラは、図１に示した第１の実施形態の場合と実質的に同様な構成である。図８は、レリーズスイッチ１９が第１ストロークまで押されると、ＬＣＤモニタ１７に測距点付近の画像が表示される電子スチルカメラの動作を示すフローチャートを示したものである。図８のフローチャートを用いて、第３の実施形態の動作を説明する。
【００３９】
ステップＳ５００において、動作を開始する。
ステップＳ５０１において、図示しない電源スイッチで電源を投入することでカメラが起動する。
ステップＳ５０２において、カメラが起動すると、バッテリチェックやレンズの有無チェックなどの初期動作が行われる。
【００４０】
つぎに、ステップＳ５０３において、視線スイッチ１３、選択モード切替スイッチ１４、測距点選択スイッチ１５などの状態をチェックして測距点選択モードを設定する。この場合、図３に示すフローチャート▲１▼に沿って動作する。
ステップＳ５０４において、設定したモードを変更する場合はステップＳ５０３へ戻り、変更ない場合はステップＳ５０５へ進む。
ステップＳ５０５において、レリーズスイッチ１９のＳＷ１がオンされると、制御回路９によってＡＦ回路１０やＡＥ回路１１が動作して撮影準備が行われる。このときＡＦ回路では先に設定した測距点選択モードに従ってＡＦ動作が行われる。
ステップＳ５０６において、撮影準備が完了するとステップＳ５０７へ進む。
【００４１】
ステップＳ５０７において、撮影した画像のピントを確認する。この場合、図４に示すフローチャート▲２▼に沿って動作する。
ステップＳ５０８において、ピント確認後、撮影する場合すなわちＳＷ１がオン状態に維持されている場合、合焦位置および露出値データを保持したまま、レリーズスイッチ１９のＳＷ２の投入待機状態となりステップＳ５０９へ進む。一方、撮影を中止する場合すなわちＳＷ１がオフ状態であるとステップＳ５０４へ進む。
【００４２】
ステップＳ５０９において、レリーズスイッチ１９のＳＷ２がオンになったとき、撮影動作が行われる。
ステップＳ５１０において、ＳＷ２がオンになると、制御回路９からの信号で図示しないシャッタ機構の開閉により被写体像が撮像素子２において露光され、この像が光電変換される。そして信号処理回路３でデジタルデータに変換された後バッファメモリ４へ一時的に格納される。そして、バッファメモリ４に格納されているデータを画像処理回路５において所定の画像データに変換し、記録回路６を用いてメモリカード１７に記録される。
ステップＳ５１１において、動作を終了する。
【００４３】
以上の動作により、レリーズボタンの第１ストロークをオンしたときに、測距点選択モードが自動選択モードおよび手動選択モードのどちらであっても、撮影画像中の合焦した測距点付近の画像が表示手段の画面全体に表示されるので、撮影画像のピント確認ができ、ピンボケの写真を記録媒体に記録する等の無駄をなくすことができる。
【００４４】
ところで、ＡＦ機能を備え、モニタを持つこの種の従来のデジタルカメラにおいて、たとえば第１の動作で合焦させ、第２の動作で記録媒体に画像記録を行い、第３の動作で記録媒体に記録された画像を再生する場合、モニタに画像およびその付加情報を表示する。
【００４５】
近年、記録媒体はその種類、容量が飛躍的に進歩し、デジタルカメラに搭載することができる記録媒体の容量も飛躍的に大きくなる。その結果、大量の画像を記録しておけるようになってきている。また、従来の銀塩カメラと異なり、デジタルカメラは撮影した画像をその場で確認でき、必要ない画像を手軽に排除することができる。その結果、撮影者は記録媒体の続く限り頻繁に撮影を行い、排除したい画像もその分増える。ところが、記録媒体に大量の画像が記録されているので、その確認に時間を取られてしまう結果となっている。
【００４６】
一方、高画素数の撮像素子を使ったデジタルカメラにおいては、記録できる画像数は限られている。よって、記録媒体に記録する画像は撮影後、画像を確認してから記録媒体に記録する方が望ましい。しかしながら、デジタルカメラに搭載される表示装置の性能は限られており、撮影した画像を評価するのに十分な性能を有していない。
【００４７】
そこで、つぎの実施形態ではＡＦ機能を備え、モニタを持つデジタルカメラにおいて、記録媒体よりも前段に１枚以上の画像を格納する画像格納手段と、合焦位置を発生させ、画像格納手段に格納されている画像に合成する手段を有する撮像装置について説明する。
【００４８】
図９は、この実施形態における撮像装置の基本構成を示す構成図である。図９において、１０１はレンズ等からなる光学部、１０２は固体撮像素子を構成するＣＣＤ、１０３は相関二重サンプリングおよびゲインコントロールを行うためのＣＤＳ／ＡＧＣ部、１０４はアナログ／デジタル変換を行うためのＡ／Ｄ変換部、１０５は、画像データのメモリ管理を行うメモリ制御部、１０６は画像補正、画像圧縮等を行う画像処理部、１０７は画像を記録するための記録媒体である。
【００４９】
また、１０８は基準信号を生成するためのＴＧ／ＳＳＧ部、１０９は画像を一時保管するためのメモリ部、１１０はカメラ全体を制御するための制御部、１１１は画像を表示するための表示装置、１１２はレリーズスイッチである。このレリーズスイッチ１１２は２段階になっており、初段をレリーズ１、後段をレリーズ２とする。
【００５０】
つぎに、上記構成でなる撮像装置で撮影する際の動作を説明する。
レリーズスイッチ１１２でレリーズ１が押されると制御部１１０は、被写体に対する合焦点位置を演算し、光学部１０１を制御する。また、制御部１１０は、このときの焦点位置（フォーカスポイント）のＸ，Ｙ座標を保持している。そしてレリーズスイッチ１１２でレリーズ２が押されると合焦された光学部１０１より入射される光をＣＣＤ部１０２により電気信号に変換する。ＣＤＳ／ＡＧＣ部１０４によりノイズ除去およびゲインコントロールされ、Ａ／Ｄ変換部１０４へ送り込む。このとき必要とされる各種タイミングパルスは、制御部１１０により制御されたＴＧ／ＳＳＧ部１０８により生成される。
【００５１】
Ａ／Ｄ変換部１０４へ送り込まれた電気信号は、Ａ／Ｄ変換部１０４により、アナログ／デジタル変換され、メモリ制御部１０５へ送り込まれる。メモリ制御部１０５へ送り込まれた画像データは一時、画像メモリ部１０９に保持され、制御部１１０により表示装置１１１に画像表示を行う。このとき制御部１１０は、表示装置１１１に全画像が表示されるように間引き処理を行い、画像表示を行う。そして、キー入力部１１３からの各種コマンド待ちの状態となる。
【００５２】
つぎに、各種コマンドについて、図１０および図１１を用いて説明する。
図１０は各種コマンドの例を表で示す図、図１１は表示装置の側近に実装されたキー入力部の一例である。
【００５３】
キー入力部１１３からコマンド１が入力された場合、現に表示装置１１１に表示されている画像データは、記録媒体１０７に記憶されずに画像メモリ部１０９より消去される。
【００５４】
キー入力部１１３からコマンド２が入力された場合、現に表示装置１１１に表示されている画像データは、画像処理部１０６により画像圧縮等の画像処理をされ、記録メディア１０７に記憶される。これと同時に合焦ポイントのＸ，Ｙ座標データを記録する。また、画像メモリ部１０９よりこの画像データは、消去される。
【００５５】
キー入力部１１３からコマンド３が入力された場合、制御部１１０は、合焦位置のＸ，Ｙ座標を中心にして間引き無し、または拡大した画像を表示装置１１１に表示させる。
【００５６】
キー入力部１１３からコマンド４が入力された場合、制御部１１０は、合焦位置のＸ，Ｙ座標上にカーソルを発生させ、オーバレイ表示する。図１２は、合焦位置をオーバレイ表示させた場合の一例を示す。
【００５７】
また、制御部１１０は記録媒体１０７に対してコマンドを与え、蓄積された画像データを画像処理部１０６へ入力する。画像処理部１０６は画像伸長等の画像処理を行い、画像メモリ部１０９へ画像処理された画像データを格納する。制御部１１０は、画像メモリ部１０９に一時蓄積された画像データを表示装置１１１へ送り、記録媒体１０７に蓄積された画像データを再生表示させる。これと同時に、記録媒体より読み出された合焦位置のＸ，Ｙ座標データより再生画像の合焦位置データを生成する。この再生表示された画像データに対しても上記４つのコマンドをそのまま動作させることができる。
【００５８】
このように撮影された画像を表示装置１１１で表示する際に、合焦位置を合成し、表示する。また、合焦位置周辺を拡大表示することにより、撮影した画像がどのような合焦位置で撮影した画像であるかを、記録媒体１０７に記録する以前に確認し、記録するか排除するかを撮影者が自由に選ぶことができる。記録媒体１０７に記録された画像を再生表示させる場合も、合焦位置を合成表示することにより、どのような状況で撮影された画像であるかを判断することができる。
【００５９】
したがって、撮影時、記録媒体に画像を蓄積する以前に、内蔵メモリに一時保管し、表示装置で画像を確認後、特に合焦位置中心にして間引き無し、または拡大表示することにより、高品位な画像で画像確認をした後、記録媒体に画像データを記録することができる。よって、無駄なデータで記録媒体を無駄に使うことを防ぎ、合焦位置を中心に表示装置で拡大表示することにより鮮明な画像で判断を行うことができる。
【００６０】
本発明は複数の機器（たとえばホストコンピュータ、インタフェース機器、リーダ、プリンタ等）から構成されるシステムに適用しても１つの機器からなる装置に適用しても良い。
【００６１】
また、上述した実施形態の機能を実現するように各種のデバイスを動作させるように、上記各種デバイスと接続された装置あるいはシステム内のコンピュータに対し、上記実施形態の機能を実現するためのソフトウェアのプログラムコードを供給し、そのシステムあるいは装置のコンピュータ（ＣＰＵあるいはＭＰＵ）に格納されたプログラムに従って上記各種デバイスを動作させることによって実施したものも、本発明の範疇に含まれる。
【００６２】
また、この場合、上記ソフトウェアのプログラムコード自体が上述した実施形態の機能を実現することになり、そのプログラムコード自体、およびそのプログラムコードをコンピュータに供給するための手段、例えばかかるプログラムコードを格納した記憶媒体は本発明を構成する。かかるプログラムコードを記憶する記憶媒体としては、例えばフロッピーディスク、ハードディスク、光ディスク、光磁気ディスク、ＣＤ−ＲＯＭ、磁気テープ、不揮発性のメモリカード、ＲＯＭ等を用いることができる。
【００６３】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等の共同して上述の実施形態の機能が実現される場合にもかかるプログラムコードは本発明の実施形態に含まれることは言うまでもない。
【００６４】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【００６５】
【発明の効果】
以上説明したように本発明によれば、この種のカメラにおいて測距点に連動して、撮影画像中の合焦した測距点付近の画像が表示手段の画面全体に表示されるので、撮影後すぐに撮影画像のピントを確認することができる。また、この表示の際には、メモリカードに記録するための所定の画像データに変換する前の画像データを用いているため、すばやく画像を表示できる。また、測距点選択モードが視線選択モード、自動選択モードおよび手動選択モードのどれであっても、画像のピント確認をしてから記録媒体に画像を記録するので、ピンボケの写真を記録媒体に記録する無駄をなくすことができる。使用性、取扱性に優れ、使い勝手の向上した撮像装置を実現することができる。
【図面の簡単な説明】
【図１】本発明の第１の実施形態に係る電子スチルカメラの構成例を示すブロック図である。
【図２】本発明の第１の実施形態におけるカメラ動作を示すフローチャートである。
【図３】本発明の第１の実施形態における測距点選択モードを設定する動作を示すフローチャートである。
【図４】本発明の第１の実施形態における測距点付近の画像の拡大再生動作を示すフローチャートである。
【図５】本発明の第１の実施形態におけるモニタ画面における測距点付近の画像表示の例を示す図である。
【図６】本発明の第２の実施形態に係る電子スチルカメラの構成例を示すブロック図である。
【図７】本発明の第２の実施形態における測距点付近の画像の拡大再生動作を示すフローチャートである。
【図８】本発明の第３の実施形態におけるカメラ動作を示すフローチャートである。
【図９】本発明の第４の実施形態における基本構成を示すブロック図である。
【図１０】本発明の第４の実施形態におけるキー入力部のコマンド例を示す図である。
【図１１】本発明の第４の実施形態におけるキー入力部の一例を示す図である。
【図１２】本発明の第４の実施形態における合焦位置のカーソル表示をオーバーレイさせた場合の一例を示す図である。
【符号の説明】
１    撮影レンズ
２    撮像素子
３    信号処理回路
４    バッファメモリ
５    画像処理回路
６    記録回路
７    メモリカード
８    駆動回路
９    制御回路
１０    ＡＦ回路
１１    ＡＥ回路
１２    操作部
１３    視線スイッチ
１４    選択モード切替スイッチ
１５    測距点選択スイッチ
１６    再生回路
１７    ＬＣＤモニタ
１８    消去スイッチ
１９    レリーズスイッチ
１０１    光学部
１０２    ＣＣＤ
１０３    ＣＤＳ／ＡＧＣ部
１０４    Ａ／Ｄ変換部
１０５    メモリ制御部
１０６    画像処理部
１０７    記録媒体
１０８    ＴＧ／ＳＳＧ部
１０９    メモリ部
１１０    制御部
１１１    表示装置
１１２    レリーズスイッチ
１１３    キー入力部
【図１】
0004677064.tif 000002
【図２】
0004677064.tif 000003
【図３】
0004677064.tif 000004
【図４】
0004677064.tif 000005
【図５】
0004677064.tif 000006
【図６】
0004677064.tif 000007
【図７】
0004677064.tif 000008
【図８】
0004677064.tif 000009
【図９】
0004677064.tif 000010
【図１０】
0004677064.tif 000011
【図１１】
0004677064.tif 000012
【図１２】
0004677064.tif 000013